(57)【要約】【課題】全面をミラーとして使用することができる表示部を備えた電子機器を提供する。【解決手段】機器ケース３と、前記ケース３内に配置された液晶表示パネル１２と、前記ケース３の液晶表示パネル１２の観察側の面と対向する部分に、前記液晶表示パネル１２の観察側の面よりも大きい形状に形成された表示窓８と、前記液晶表示パネル１２の観察側に配置され、前記液晶表示パネル１２の観察側の面よりも大きい形状に形成された反射偏光板２４とを備える。【選択図】図２
2010079087.tif 000002
【特許請求の範囲】
【請求項１】
機器ケースと、
前記ケース内に配置された表示パネルと、
前記ケースの前記表示パネルの観察側の面と対向する部分に、前記表示パネルの観察側の面よりも大きい形状に形成された表示窓と、
前記表示パネルの観察側に配置され、前記表示パネルの観察側の面よりも大きい形状に形成され、且つ、互いに直交する２つの方向に透過軸と反射軸とをもち、入射光の互いに直交する２つの振動成分のうちの前記透過軸と平行な方向の振動成分の光を透過させ、前記反射軸と平行な方向の振動成分の光を反射する反射偏光板と、
を備えることを特徴とする表示部を備えた電子機器。
【請求項２】
表示窓は、機器ケースに形成された開口部と、前記開口部に嵌装された表示部保護板とからなっており、反射偏光板は、前記保護板の前記ケースの内側に向いた内面と前記ケースの外側に向いた外面の少なくとも一方に、前記保護板に貼付けて配置されていることを特徴とする請求項１に記載の表示部を備えた電子機器。
【請求項３】
反射偏光板は、表示部保護板と実質的に同じ大きさ及び形状に形成されていることを特徴とする請求項２に記載の表示部を備えた電子機器。
【請求項４】
反射偏光板は、表示パネルの観察側の面よりも大きく、表示部保護板よりも小さい形状に形成されていることを特徴とする請求項２に記載の表示部を備えた電子機器。
【請求項５】
１枚の反射偏光板を備え、前記反射偏光板は、表示部保護板の内面に貼付けられていることを特徴とする請求項２に記載の表示部を備えた電子機器。
【請求項６】
２枚の反射偏光板を備え、その一方の反射偏光板は、表示部保護板の外面に貼付けられ、他方の反射偏光板は、その反射軸を、前記一方の反射偏光板の反射軸と実質的に平行にして前記保護板の内面に貼付けられていることを特徴とする請求項２に記載の表示部を備えた電子機器。
【請求項７】
表示パネルは、画像の表示と、画面エリアの全体を黒にする黒表示とを選択的に行うことを特徴とする請求項１〜６のいずれかに記載の表示部を備えた電子機器。
【請求項８】
表示パネルは、画像の表示と、画面エリアの全体を黒にする黒表示と、前記画面エリアの全体を白にする白表示とを選択的に行うことを特徴とする請求項１〜６のいずれかに記載の表示部を備えた電子機器。
【発明の詳細な説明】
【技術分野】
【０００１】
この発明は、画像の表示以外にミラーとしても使用できる表示部を備えた電子機器に関する。
【背景技術】
【０００２】
携帯電話機等の表示部を備えた電子機器として、前記表示部を、液晶表示パネル等の表示パネルと、前記表示パネルの平面形状と実質的に同じ形状に形成され、前記表示パネルの観察側に配置された反射偏光板とにより構成し、前記表示部を、画像の表示以外に、電子機器の使用者の顔等を映して見るためのミラーとしても使用できるようにしたものがある（特許文献１参照）。
【特許文献１】特開２００４−２４６００４号公報
【発明の開示】
【発明が解決しようとする課題】
【０００３】
しかし、上記従来の表示部を備えた電子機器は、ミラーとして使用することができる面積が狭い。
【０００４】
この発明は、表示部のうちの表示パネルの画面エリアに対応する領域よりも外側の部分をミラーとして使用することができる表示部を備えた電子機器を提供することを目的としたものである。
【課題を解決するための手段】
【０００５】
この発明の請求項１に記載の表示部を備えた電子機器は、
機器ケースと、
前記ケース内に配置された表示パネルと、
前記ケースの前記表示パネルの観察側の面と対向する部分に、前記表示パネルの観察側の面よりも大きい形状に形成された表示窓と、
前記表示パネルの観察側に配置され、前記表示パネルの観察側の面よりも大きい形状に形成され、且つ、互いに直交する２つの方向に透過軸と反射軸とをもち、入射光の互いに直交する２つの振動成分のうちの前記透過軸と平行な方向の振動成分の光を透過させ、前記反射軸と平行な方向の振動成分の光を鏡面反射する反射偏光板と、
を備えることを特徴とする。
【０００６】
請求項２に記載の発明は、前記請求項１に記載の表示部を備えた電子機器において、前記表示窓は、前記機器ケースに形成された開口部と、前記開口部に嵌装された表示部保護板とからなっており、前記反射偏光板は、前記保護板の前記ケース内に対向する内面と前記ケース外に対向する外面の少なくとも一方に、前記保護板に貼付けて配置されていることを特徴とする。
【０００７】
請求項３に記載の発明は、前記請求項２に記載の表示部を備えた電子機器において、前記反射偏光板は、前記表示部保護板と実質的に同じ大きさ及び形状に形成されていることを特徴とする。
【０００８】
請求項４に記載の発明は、前記請求項２に記載の表示部を備えた電子機器において、前記反射偏光板は、前記表示パネルの観察側の面よりも大きく、前記表示部保護板よりも小さい形状に形成されていることを特徴とする。
【０００９】
請求項５に記載の発明は、前記請求項２に記載の表示部を備えた電子機器において、１枚の反射偏光板を備え、前記反射偏光板は、前記表示部保護板の内面に貼付けられていることを特徴とする。
【００１０】
請求項６に記載の発明は、前記請求項２に記載の表示部を備えた電子機器において、２枚の反射偏光板を備え、その一方の反射偏光板は、前記表示部保護板の外面に貼付けられ、他方の反射偏光板は、その反射軸を、前記一方の反射偏光板の反射軸と実質的に平行にして前記保護板の内面に貼付けられていることを特徴とする。
【００１１】
請求項７に記載の発明は、前記請求項１に記載の表示部を備えた電子機器において、前記表示パネルは、画像の表示と、画面エリアの全体を黒にする黒表示とを選択的に行うことを特徴とする。
【００１２】
請求項８に記載の発明は、前記請求項１に記載の表示部を備えた電子機器において、前記表示パネルは、画像の表示と、画面エリアの全体を黒にする黒表示と、前記画面エリアの全体を白にする白表示とを選択的に行うことを特徴とする。
【発明の効果】
【００１３】
この発明の表示部を備えた電子機器は、上記のように構成されているため、前記表示部のうちの前記表示パネルの画面エリアに対応する領域よりも外側の部分をミラーとして使用することができる。
【発明を実施するための最良の形態】
【００１４】
（第１の実施形態）
図１〜図７はこの発明の第１の実施例を示しており、図１は表示部を備えた電子機器の使用状態における正面図、図２は前記電子機器の図１のII−II線に沿う拡大断面図である。
【００１５】
この実施例の電子機器は、折りたたみ型の携帯電話機１であり、その機器ケースは、本体ケース２と、前記本体ケース２の一端に設けられたヒンジ部４に支持され、図１のように本体ケース２の外方に張出した開状態と、前記本体ケース２の上に重ねられた閉状態とに開閉回動される蓋ケース３とからなっている。
【００１６】
前記本体ケース２には、その前面（蓋ケース３の重なり面）に、キーボード部５とマイク部６が設けられており、この本体ケース２内に、制御部及び電源部等（図示せず）が収容されている。
【００１７】
また、前記蓋ケース３には、その前面（折りたたみ時に本体ケース２の前面に対向する面）に、表示部７を形成するための表示窓８が設けられ、さらに、この蓋ケース３の先端に近い部分の前面にスピーカ部１１が設けられており、この蓋ケース３内に、前記表示部７を構成する表示パネル１２が配置されている。
【００１８】
前記表示パネル１２は、例えば透過型の液晶表示パネルであり、その内部構造は図示しないが、予め定めた間隙を設けて対向配置され、画面エリア１３を囲む枠状のシール材１６を介して接合された観察側とその反対側の一対の透明基板１４，１５と、これらの基板１４，１５の互いに向き合う内面それぞれに設けられ、互いに対向する領域により複数の画素をマトリックス状に配列させて形成する透明電極と、前記一対の基板１４，１５間の間隙の前記シール材１６で囲まれた領域に封入された液晶層と、前記一対の基板１４，１５の外面にそれぞれ配置された観察側とその反対側の一対の偏光板（互いに直交する２つの方向に吸収軸と透過軸とをもち、入射光の互いに直交する２つの振動成分のうちの前記吸収軸と平行な方向の振動成分の光を吸収し、前記透過軸と平行な方向の振動成分の光を透過させる吸収偏光板）１７，１９とからなっている。
【００１９】
なお、この液晶表示パネル１２は、ＴＦＴ（薄膜トランジスタ）をアクティブ素子としたアクティブマトリックス液晶表示パネルであり、前記一対の基板１４，１５のうちの観察側とは反対側の基板１５の内面に、行方向及び列方向に配列させて形成された複数の画素電極と、これらの画素電極にそれぞれ接続された複数のＴＦＴと、各行の複数のＴＦＴにゲート信号を供給するための複数の走査線と、各列の複数のＴＦＴにデータ信号を供給するための複数の信号線とが設けられ、観察側の基板１４の内面に、前記複数の画素電極と対向する一枚膜状の対向電極と、前記複数の画素電極と前記対向電極とが互いに対向する領域からなる複数の画素にそれぞれ対応させて形成された赤、緑、青の３色のカラーフィルタとが設けられている。
【００２０】
また、前記複数の画素電極及び複数のＴＦＴが設けられた反対側基板１５の一端側には、観察側基板１４の外方に突出する張出部１５ａが形成されており、この張出部１５ａに、前記複数の走査線及び複数の信号線と前記対向電極にそれぞれ接続された複数のドライバ接続端子（図示せず）が形成されている。
【００２１】
そして、前記張出部１５ａには、前記対向電極に予め定めた電位の信号を印加し、さらに、前記複数の画素を行毎に選択して、各行の選択期間毎に、前記複数の走査線に順次ゲート信号を印加し、前記選択期間毎に、前記複数の信号線に、前記本体ケース２内の制御部から供給された表示データに対応したデータ信号を印加するドライバ素子２０が、その複数の端子電極（図示せず）を前記複数のドライバ接続端子にそれぞれ接続して搭載されている。
【００２２】
なお、前記液晶表示パネル１２は、前記液晶層の液晶分子を一対の基板１４，１５間において実質的に９０度の捩れ角でツイスト配向させたＴＮ型、液晶分子を一対の基板１４，１５間において１８０°〜２７０°の捩れ角でツイスト配向させたＳＴＮ型、液晶分子を基板面に対して実質的に垂直に配向させた垂直配向型、液晶分子を分子長軸を一方向に揃えて基板面と実質的に平行に配向させた非ツイストの水平配向型、液晶分子をベンド配向させるベンド配向型のいずれでも、あるいは強誘電性または反強誘電性液晶表示パネルでもよい。
【００２３】
さらに、前記液晶表示パネル１２は、一対の基板１４，１５の内面それぞれに複数の画素を形成するための電極を設けたものに限らず、一対の基板１４，１５のいずれか一方の内面に、複数の画素を形成するための第１の電極と、それよりも液晶層側に前記第１の電極と絶縁して形成された複数の細長電極部を有する第２の電極とを設け、これらの電極間に横電界（基板面に沿う方向の電界）を生じさせて液晶分子の配向状態を変化させる横電界制御型のものでもよい。
【００２４】
また、前記液晶表示パネル１２は、一対の基板１４，１５とこれらの外面に配置された偏光板１７，１９との間の一方または両方に、表示品質を向上させるための位相差板等を配置したものでもよい。
【００２５】
そして、前記液晶表示パネル１２は、その観察側の面（観察側偏光板１７の外面）を、前記蓋ケース３の前面に設けられた表示窓８に対向させて前記蓋ケース３内に配置されている。
【００２６】
また、前記蓋ケース３内には、前記液晶表示パネル１２の観察側とは反対側の面（反対側偏光板１９の外面）に対向させて、前記液晶表示パネル１２に向けて照明光を照射する面光源２１が配置されている。
【００２７】
この面光源２１は、前記液晶表示パネル１２の画面エリア１３よりも大きい矩形形状に形成された板状の透明部材からなり、その一端面に光を入射させる入射面２２ａが形成され、２つの板面のうちの前記液晶表示パネル１２と対向する側の板面に前記入射面２２ａから入射した光の出射面２２ｂが形成され、反対側の板面に前記入射面２２ａから入射した光を前記出射面２２ｂに向けて反射する反射面２２ｃが形成された導光板２２と、この導光板２２の入射面２２ａに対向させて配置されたＬＥＤ（発光外オード）等からなる複数の発光素子２３とによって構成されている。
【００２８】
前記蓋ケース３に設けられた表示窓８は、前記蓋ケース３の前面に、前記液晶表示パネル１２の観察側の面よりも大きい矩形形状に形成された開口部９と、前記開口部９に嵌装された強化ガラス板またはアクリル樹脂板等からなる表示部保護板１０とにより形成されている。
【００２９】
この実施例において、前記表示窓８は、前記蓋ケース３の前面のうちのスピーカ部１１が設けられた先端側の部分を除く大部分の領域に、前記液晶表示パネル１２の反対側基板１５に形成された張出部１５ａを含む平面形状よりも大きい矩形形状に形成されている。
【００３０】
さらに、前記液晶表示パネル１２の観察側には、この液晶表示パネル１２の観察側の面よりも大きい形状に形成された１枚の反射偏光板２４が配置されている。この実施例において、前記反射偏光板２４は、前記表示窓８を形成する表示部保護板１０と実質的に同じ大きさ及び形状に形成されている。
【００３１】
図３は前記液晶表示パネル１２と反射偏光板２４の斜視図であり、前記反射偏光板２４は、その板面に沿った互いに直交する２つの方向に透過軸２５と反射軸２６とをもち、入射光の互いに直交する２つの振動成分のうちの前記透過軸２５と平行な方向の振動成分の光を透過させ、前記反射軸２６と平行な方向の振動成分の光を鏡面反射する特性を有している。
【００３２】
この反射偏光板２４は、前記表示部保護板１０の蓋ケース３の内側に向いた内面に、前記透過軸２５を、前記液晶表示パネル１２の観察側偏光板１７の透過軸１８と実質的に平行にして配置され、前記保護板１０の内面全体に貼付けられている。
【００３３】
そして、内面に前記反射偏光板２４が貼付けられた表示部保護板１０は、前記蓋ケース３に設けられた開口部９に密に嵌装され、前記開口部９と前記反射偏光板２４とからなる表示窓８を形成している。
【００３４】
すなわち、前記携帯電話機１は、前記蓋ケース３に、この蓋ケース３内に配置された液晶表示パネル１２及び面光源２１と、前記蓋ケース３の前記液晶表示パネル１２の観察側の面と対向する部分に、前記液晶表示パネル１２の観察側の面よりも大きい形状に形成された表示窓８と、前記液晶表示パネル１２の観察側の面よりも大きい形状に形成され、前記液晶表示パネル１２の観察側に、前記保護板１０の内面に貼付けて配置された反射偏光板２４とからなる表示部７を形成したものである。
【００３５】
この携帯電話機１は、前記液晶表示パネル１２の観察側に前記反射偏光板２４を配置した表示部７を備えているため、前記表示部７を、画像の表示以外に、携帯電話機１の使用者の顔等を映して見るためのミラーとしても使用することができる。
【００３６】
しかも、この携帯電話機１は、前記蓋ケース３に設けられた表示窓８と、前記反射偏光板２４とを、前記液晶表示パネル１２の観察側の面よりも大きい形状に形成しているため、前記表示部７のうちの前記液晶表示パネル１２の画面エリア１３に対応する領域よりも外側の部分をミラーとして使用することができる。
【００３７】
すなわち、この携帯電話機１は、蓋ケース３を図１のように開いて使用される。そして、前記面光源２１は、前記蓋ケース３の開閉に対応して、蓋ケース３が開かれている間中、継続して点灯され、蓋ケース３が閉じられたときに消灯される。
【００３８】
また、前記本体ケース２内の制御部は、前記蓋ケース３が開かれているときに、前記キーボード部５の予め定めたキーまたは本体ケース２と蓋ケース３のいずれか一方の任意の部分に設けられた図示しないスイッチによる表示／ミラーの選択に対応して、表示が選択されたときに、前記液晶表示パネル１２のドライバ素子２０に画像信号に対応した表示データ（以下、画像データという）を供給し、ミラーが選択されたときに、前記ドライバ素子２０に、前記液晶表示パネル１２の画面エリア１３の全体を黒にするための黒表示データを供給する。
【００３９】
すなわち、この携帯電話機においては、前記表示／ミラーの選択に対応して、前記液晶表示パネル１２に、画像の表示と、画面エリア１３の全体を黒にする黒表示とを選択的に行わせるようにしている。
【００４０】
なお、前記液晶表示パネル１２は、前記複数の画素の電極間に電圧を印加しない無電界時の表示が明表示（白表示）であるノーマリーホワイト型表示パネルでも、前記無電界時の表示が暗表示（黒表示）であるノーマリーブラック型表示パネルでもよく、前記液晶表示パネル１２がノーマリーホワイト型のときは、全ての画素の電極間に黒の階調に対応した電圧を印加することにより画面エリア１３の全体を黒にし、ノーマリーブラック型のときは、全ての画素の電極間に印加する電圧を実質的に０にすることにより画面エリア１３の全体を黒にすることができる。
【００４１】
そして、前記蓋ケース３を開いているときは、外部からの入射光のうちの前記表示窓８に入射した光が、前記表示部保護板１０を透過して前記反射偏光板２４に入射し、また、前記液晶表示パネル１２に前記画像データに対応する画像を表示させたときは、前記面光源２１から照射され、液晶表示パネル１２の複数の画素により透過を制御されて前記液晶表示パネル１２の画面エリア１３から観察側に出射した光（以下、画像光という）が前記反射偏光板２４に入射する。
【００４２】
また、前記液晶表示パネル１２の画面エリア１３の全体を黒にしたときは、前記面光源２１から照射されて液晶表示パネル１２に入射した光が前記液晶表示パネル１２の観察側偏光板１７により吸収され、前記液晶表示パネル１２からは光が出射しない。
【００４３】
図４は、前記液晶表示パネル１２に黒を表示させたときの前記表示部７の光の経路を示す光線図、図５は、前記液晶表示パネル１２に画像を表示させたときの前記表示部７の光の経路を示す光線図である。
【００４４】
図４のように、前記液晶表示パネル１２に黒を表示させたときは、前記液晶表示パネル１２からは光が出射せず、外部から前記表示窓８に入射した光３１だけが反射偏光板２４に入射し、この光（非偏光の光）３１のうちの前記反射偏光板２４の透過軸２５と平行な方向の振動成分の光３１ａが、この反射偏光板２４を透過し、前記反射偏光板２４の反射軸２６と平行な方向の振動成分の光３１ｂが、この反射偏光板２４により反射されて前記表示窓８の全域から外部に出射する。
【００４５】
なお、前記反射偏光板２４を透過した光３１ａのうちの液晶表示パネル１２の画面エリア１３内に向かう光は、前記液晶表示パネル１２の観察側偏光板１７と液晶層とを透過して反対側の偏光板１９により吸収され、他の部分に向かう光は、前記液晶表示パネル１２の画面エリア１３外の部分や、蓋ケース３の内面で散乱または吸収される。
【００４６】
そのため、前記液晶表示パネル１２に黒を表示させたときは、前記表示窓８の全域を、外部からの入射光を前記反射偏光板２４により反射するミラーとして使用することができる。
【００４７】
また、図５のように、前記液晶表示パネル１２に画像を表示させたときは、前記反射偏光板２４に、外部から前記表示窓８に射した光３１と、前記液晶表示パネル１２の画面エリア１３から出射した画像光３２とが入射する。
【００４８】
前記液晶表示パネル１２の画面エリア１３から出射した画像光３２は、前記液晶表示パネル１２の観察側偏光板１７の透過軸１８と平行な直線偏光であり、前記観察側偏光板１７の透過軸１８と前記反射偏光板２４の透過軸２５は実質的に平行であるため、前記画像光３２は、前記反射偏光板２４を高い透過率で透過し、さらに表示部保護板１０を透過して前記表示窓８から外部に出射する。
【００４９】
そのため、このときは、前記表示窓８のうちの前記液晶表示パネル１２の画面エリア１３に対応する領域に画像が表示される。なお、このときも、外部から前記表示窓８に入射し、前記反射偏光板２４により反射された光３１ｂが前記表示窓８の全域から観察側外部に出射されるが、前記液晶表示パネル１２の表示の輝度は、通常の使用環境における前記反射偏光板２４により反射された光３１ｂの強度に比べて充分高くなるように前記面光源２１からの照明光の強度を設定してあるので、前記表示部７のうちの前記液晶表示パネル１２の画面エリア１３に対応する領域には、前記液晶表示パネル１２に表示された画像が観察される。
【００５０】
そして、前記表示部７に画像を表示させたときも、前記液晶表示パネル１２の画面エリア１３に対応する領域以外の部分では、外部から前記表示窓８に入射した光３１だけが反射偏光板２４に入射し、この光３１のうちの前記反射偏光板２４により反射された光３１ｂが前記表示窓８から外部に出射する。
【００５１】
そして、前記表示窓８と前記反射偏光板２４はそれぞれ、前記液晶表示パネル１２の観察側の面よりも大きい形状に形成されているため、前記表示窓８のうちの前記液晶表示パネル１２の画面エリア１３に対応する領域以外の部分、つまり画前記面エリア１１に対応する領域の全周を囲む枠状の部分を含めて、大きな面積のミラーとして使用することができる。
【００５２】
さらに、上記実施例では、前記表示窓８を、前記蓋ケース３に設けられた開口部９と、この開口部９に嵌装された表示部保護板１０とにより形成し、前記反射偏光板２４を、前記表示部保護板１０と実質的に同じ大きさ及び形状に形成しているため、前記液晶表示パネル１２に黒を表示させたときに、前記表示窓８の全域をミラーとして使用することができる。また、前記液晶表示パネル１２に画像を表示させたときには、前記表示窓８のうちの前記液晶表示パネル１２の画面エリア１３に対応する領域よりも外側の枠状部分をミラーとして使用することができる。
【００５３】
図６は、前記表示部７の表示窓全域をミラーとしたときの正面図、図７は、前記表示部７の画像を表示したときの正面図であり、これらの図において、並行斜線を施した部分は、ミラーとして使用される部分である。
【００５４】
図６のように、前記液晶表示パネル１２に黒を表示させたときは、前記表示窓８の全域をミラー３３ａとして使用できるため、この大面積のミラー３３ａに、使用者の顔３４等を映して見ることができる。
【００５５】
また、図７のように、前記液晶表示パネル１２に画像３５を表示させたときは、前記表示窓８のうちの前記液晶表示パネル１２の画面エリア１３に対応する領域よりも外側の枠状部をミラー３３ｂとして使用できるため、この枠状のミラー３３ｂに、使用者の顔の一部等を映して見ることができる。
【００５６】
また、上記実施例では、前記反射偏光板２４を、前記表示部保護板１０の内面に貼付けて配置しているため、前記反射偏光板２４の汚れや損傷を防ぐとともに、前記表示窓８の表面を、前記保護板１０の外面からなる平滑面にすることができる。ただし、前記反射偏光板２４は、前記表示部保護板１０の蓋ケース３外に対向する外面に貼付けて配置してもよい。
【００５７】
なお、上記実施例では、前記液晶表示パネル１２に、画像の表示と、画面エリア１３の全体を黒にする黒表示とを選択的に行わせるようにしているが、前記液晶表示パネル１２に、前記画像の表示と、画面エリア１３の全体を黒にする黒表示と、前記画面エリア１３の全体を輝度の弱い白表示としてもよい。このようにすることにより、前記画面エリア１３の領域の明るさを変えることができる。
【００５８】
すなわち、前記液晶表示パネル１２の画面エリア１３の全体に輝度の弱い白を表示させ、前記液晶表示パネル１２の画面エリア１３から観察側に出射した白色光を前記反射偏光板２４を透過させて外部に出射させることにより、明るさの強い外光のみを反射する通常の鏡とは異なる反射像を得ることができる。
【００５９】
このように、前記液晶表示パネル１２の画面エリア１３の全体の表示を黒表示と白表示のいずれかに選択する場合、その選択は、使用者に行わせてもよいが、例えば外部の照度を光センサにより測定することにより自動的に行うことができる。
【００６０】
（第２の実施形態）
図８はこの発明の第２の実施例を示す折りたたみ型携帯電話機の蓋部の断面図である。なお、この実施例において、上記第１の実施例に対応するものには図に同符号を付し、同一のものについてはその説明を省略する。
【００６１】
この実施例は、上記第１の実施例の携帯電話機１において、反射偏光板２４を、液晶表示パネル１２の観察側の面よりも大きく、表示部保護板１０よりも小さい形状に形成し、この反射偏光板２４を、前記保護板１０の内面に、その周縁部を前記反射偏光板２４の周囲に露出させて貼付け、さらに、前記保護板１０の内面の周縁部に、蓋ケース３に設けられた開口部９の周面と前記反射偏光板２４の外周縁との間に対応する隙間を目隠しするための遮光膜２７を設けたものであり、他の構成は第１の実施例と同じである。
【００６２】
なお、この実施例では、前記遮光膜２７を、前記反射偏光板２４の液晶表示パネル１２の画面エリア外に対応する周縁部の内面（蓋ケース３内に対向する面）から前記保護板１０の周縁部にわたって形成しているが、この遮光膜２７は、前記保護板１０の反射偏光板２４の周囲に露出した部分だけに形成してもよい。
【００６３】
（第３の実施形態）
図９はこの発明の第３の実施例を示す折りたたみ型携帯電話機の蓋部の断面図である。なお、この実施例において、上記第１の実施例に対応するものには図に同符号を付し、同一のものについてはその説明を省略する。
【００６４】
この実施例は、上記第１の実施例の携帯電話機１において、表示部保護板１０と実質的に同じ大きさ及び形状に形成された２枚の反射偏光板２４ａ，２４ｂを備え、その一方の反射偏光板２４ａを、表示部保護板１０の外面に貼付け、他方の反射偏光板２４ｂを、その反射軸を、前記一方の反射偏光板２４ａの反射軸と実質的に平行にして前記保護板１０の内面に貼付けたものであり、他の構成は第１の実施例と同じである。
【００６５】
この実施例によれば、外部から入射した光のうちの前記反射偏光板２４ａ，２４ｂの反射軸と平行な方向の振動成分の光を、前記保護板１０の外面に貼付けられた第１の反射偏光板２４ａにより鏡面反射し、さらに、前記反射軸と平行な方向の振動成分の光のうちの前記第１の反射偏光板２４ａで反射されずに表示部保護板１０側に漏れた光を、前記保護板１０の内面に貼付けられた第２の反射偏光板２４ｂにより鏡面反射することができるため、より反射率の高いミラーを形成することができる。
【００６６】
（第４の実施形態）
図１０はこの発明の第４の実施例を示す折りたたみ型携帯電話機の蓋部の断面図である。なお、この実施例において、上記第１の実施例に対応するものには図に同符号を付し、同一のものについてはその説明を省略する。
【００６７】
この実施例は、上記第３の実施例における２枚の反射偏光板２４ａ，２４ｂをそれぞれ、液晶表示パネル１２の観察側の面よりも大きく、表示部保護板１０よりも小さい形状に形成し、前記保護板１０の内面の周縁部の内面に、上記第２の実施例と同様に遮光膜２７を設けたものであり、他の構成は第１の実施例と同じである。
【００６８】
（第５の実施形態）
図１１はこの発明の第５の実施例を示す折りたたみ型携帯電話機の蓋部の断面図である。なお、この実施例において、上記第１の実施例に対応するものには図に同符号を付し、同一のものについてはその説明を省略する。
【００６９】
この実施例は、表示部７を構成する表示パネルとして、観察側とは反対側だけに偏光板１９を備えた液晶表示パネル１２ａを備え、反射偏光板２４を、その透過軸を前記液晶表示パネル１２ａの前記反対側の偏光板１９の透過軸の向きに対して予め定めた方向に向けて配置することにより、前記液晶表示パネル１２ａに、前記反射偏光板２４を観察側の偏光板とした表示を行わせるようにしたものであり、他の構成は第１の実施例と同じである。なお、この実施例において、前記反射偏光板２４は、第１の実施例の配置に限らず、第２〜第４の実施例のいずれかと同様に配置してもよい。
【００７０】
（第６の実施形態）
図１２はこの発明の第６の実施例を示す折りたたみ型携帯電話機の蓋部の断面図である。なお、この実施例において、上記第１の実施例に対応するものには図に同符号を付し、同一のものについてはその説明を省略する。
【００７１】
この実施例は、表示部７を構成する表示パネルとして、自発光型の表示パネル、例えば有機ＥＬ（エレクトロルミネッセンス）表示パネル２８を備え、第１の実施例における面光源２１を省略したものであり、他の構成は第１の実施例と同じである。
【００７２】
前記有機ＥＬ表示パネル２８は、その観察側に、外部から入射した光の表面反射を軽減するための円偏光板２９と偏光板（互いに直交する２つの方向に吸収軸と透過軸とをもった吸収偏光板）３０とを備えており、この円偏光板２９と偏光板３０は、前記偏光板３０を観察側の最も外面に位置させて積層されている。
【００７３】
そして、この実施例では、反射偏光板２４を、その透過軸を、前記ＥＬ表示パネル２８の観察側の最も外面に配置された前記偏光板３０の透過軸と実質的に平行にして配置している。なお、この実施例において、前記反射偏光板２４は、第１の実施例の配置に限らず、第２〜第４の実施例のいずれかと同様に配置してもよい。
【００７４】
（他の実施形態）
なお、上記各実施例の電子機器は、折りたたみ型の携帯電話機であるが、この発明は、折りたたみ型以外の携帯電話機、電子辞書、デジタルカメラ等の、表示部を備えた電子機器に広く適用することができる。
【図面の簡単な説明】
【００７５】
【図１】この発明の第１の実施例を示す表示部を備えた折りたたみ型携帯電話機の使用状態における正面図。
【図２】前記携帯電話機の図１のII−II線に沿う拡大断面図。
【図３】前記携帯電話機電子の表示部を構成する液晶表示パネルと反射偏光板の斜視図。
【図４】液晶表示パネルに黒を表示させたときの表示部の光の経路を示す光線図。
【図５】液晶表示パネルに画像を表示させたときの表示部の光の経路を示す光線図。
【図６】前記表示部の表示窓全域をミラーとしたときの正面図。
【図７】前記表示部の画像を表示したときの正面図。
【図８】この発明の第２の実施例を示す折りたたみ型携帯電話機の蓋部の断面図。
【図９】この発明の第３の実施例を示す折りたたみ型携帯電話機の蓋部の断面図。
【図１０】この発明の第４の実施例を示す折りたたみ型携帯電話機の蓋部の断面図。
【図１１】この発明の第５の実施例を示す折りたたみ型携帯電話機の蓋部の断面図。
【図１２】この発明の第６の実施例を示す折りたたみ型携帯電話機の蓋部の断面図。
【符号の説明】
【００７６】
１…折りたたみ型携帯電話機（電子機器）、２…本体ケース、３…蓋ケース、７…表示部、８…表示窓、９…開口部、１０…表示部保護板、１２…液晶表示パネル、１３…画面エリア、１４，１５…基板、１７…観察側偏光板、１８…透過軸、１９…反対側偏光板、２１…面光源、２４，２４ａ，２４ｂ…反射偏光板、２５…透過軸、２６…反射軸、２７…遮光膜、２８…有機ＥＬ表示パネル、２９…円偏光板、３０…偏光板。
【図１】
2010079087.tif 000003
【図２】
2010079087.tif 000004
【図３】
2010079087.tif 000005
【図４】
2010079087.tif 000006
【図５】
2010079087.tif 000007
【図６】
2010079087.tif 000008
【図７】
2010079087.tif 000009
【図８】
2010079087.tif 000010
【図９】
2010079087.tif 000011
【図１０】
2010079087.tif 000012
【図１１】
2010079087.tif 000013
【図１２】
2010079087.tif 000014